(57)【特許請求の範囲】
【請求項１】
電子部品の裏面から垂直方向に延び先端に第１係止爪が形成された一対の第１係止片と、該第１係止片の対向方向に対し垂直方向に所定の間隔をあけて並設され先端に第２係止爪が形成された第２係止片とを、前記電子部品の取付面に形成された係止孔に挿入して、前記第１及び第２係止爪を前記係止孔に係合させることにより、電子部品を前記取付面に固定する電子部品の取付構造において、
前記係止孔の一端には、前記第１係止片が挿入される一対の切り込み部が、前記第１係止片の厚さよりも幅広、且つ、前記第１係止爪の最大厚さよりも幅狭となるように設けられており、前記切り込み部の先端から前記係止孔の他端までの距離が、前記第１係止片の端面外側から前記第２係止片の端面外側までの距離と略同一であることを特徴とする電子部品の取付構造。
【請求項２】
前記切り込み部は、前記第１係止片の幅の半分以上の深さとなるように設けられることを特徴とする請求項１に記載の電子部品の取付構造。
【請求項３】
前記基部の端面には電線が装着されており、前記電子部品を前記取付面に取り付けたとき、前記切り込み部が延びる方向の前方に、前記電線が装着された端面が位置するよう構成されていることを特徴とする請求項１又は２に記載の電子部品の取付構造。
【請求項４】
請求項１乃至請求項３のいずれかに記載の電子部品の取付構造を用いたことを特徴とする画像形成装置。
【発明の詳細な説明】
【技術分野】
【０００１】
本発明は、フォトインタラプタ等の電子部品の取付構造に関するものであり、特に電子部品に一体形成された係止爪と、取付面に設けられた係止孔とから構成される電子部品の取付構造、及びそれを用いた画像形成装置に関するものである。
【背景技術】
【０００２】
一般的に、複写機、ファクシミリ及びプリンタ等の画像形成装置では、用紙搬送路を通過する用紙を検知するフォトセンサ、現像剤中のトナー濃度や残量を検知するためのトナーセンサ、又は装置本体側面に設けられた手差しトレイ等の開閉を検知するためのインターロックスイッチ等々、装置本体内部に種々の電子部品が取り付けられている。
【０００３】
従来、このような電子部品を取り付ける際には、装置本体内の取付面の所定位置にネジ孔を設け、電子部品にはネジを挿通する貫通孔を設けて、この貫通孔を通してネジ孔へとネジを螺合することによって電子部品を固定していた。しかし、このようにネジを用いて電子部品の取り付けを行うと、部品点数が増加するだけでなく、電子部品の取り付け作業工数も多くなるため、画像形成装置の製造コストが高くなっていた。
【０００４】
そこで、部品点数と取り付け工数を減らした電子部品の取付構造として、電子部品に係止爪を一体形成し、装置本体の取付面に係止爪若しくは係止孔を形成して、電子部品に形成された係止爪を取付面に形成された係止爪若しくは係止孔に係合させることによって電子部品を取付面に固定するよう構成された電子部品の取付構造が提案されている（例えば、特許文献１）。
【０００５】
ここで、図１０及び図１１を参照して、電子部品の係止爪と取付面の係止孔とから構成される従来の電子部品の取付構造について説明する。図１０に示すように、電子部品１００の下面側の長手方向両端縁には、垂直下方へと延びる係止片１０１が一体形成されており、これらの係止片１０１の先端部には長手方向外方へと突出する係止爪１０２が設けられている。また、取付面１１０には矩形状の係止孔１１１が設けられており、この係止孔１１１は、長手方向の長さが電子部品１００の長手方向の長さと略同一となるように形成され、短手方向の長さは電子部品１００に一体形成された係止片１０１の幅と略同一に形成されている。
【０００６】
そして、電子部品１００に形成された係止片１０１を係止孔１１１に挿入すると、係止片１０１は一時的に長手方向内側へと弾性変形するが、係止爪１０２が係止孔１１１を完全に通過すると係止片１０１は自己の弾性により元の位置へと復帰して、図１１に示すように、係止爪１０２が係止孔１１１と係合して、電子部品１００が取付面１１０から脱落しないようになる。このような取付構造を用いることにより、ネジを用いることなく電子部品１００を取り付けることができるため、部品点数及び取り付け作業工数を減らすことができ、製造コストの低減を図ることができる。
【０００７】
ところで、近年では、画像形成装置内に取り付けられる電子部品自体もコストダウンが図られており、電子部品に一体形成される係止片の剛性が弱く、非常に変形しやすくなっている。そのため、従来の電子部品の取付構造のように、矩形状の係止孔１１１に係止片１０１を挿入しただけでは、例えば、電子部品１００に接続される電線が引っ張られる等により、電子部品１００に力が加えられると係止片１０１が内側へと変形してしまい、係止爪１０２と取付面１１０との係合が解除され、電子部品１００が取付面１１０から脱落してしまうことがあった。
【０００８】
そこで、上述のような、電子部品１００の係止爪１０２と取付面１１０の係止孔１１１とから構成される従来の電子部品の取付構造において、電子部品１００の係止片１０１を係止孔１１１に挿入し、係止爪１０２と取付面１１０とを係合させた後、電子部品１００を取り付けた側と反対側からＰＥＴフィルム等を貼り付けて、係止片１０１が係止孔１１１から抜けることを防ぎ、電子部品１００の脱落を防止する方法が提案されている。
【特許文献１】特開平９−３１９２０６号公報
【発明の開示】
【発明が解決しようとする課題】
【０００９】
しかしながら、上記のようにＰＥＴフィルム等によって電子部品の係止片の抜けを防止する方法では、電子部品を取り付けた後にＰＥＴフィルムを貼り付けるという作業を行う必要があり、また、ＰＥＴフィルムを別途用意する必要があるため、取り付け作業工数及び部品点数が増加してしまい、製造コストの低減を図ることができない。また、メンテナンス時に電子部品を取り外す際には、ＰＥＴフィルムを剥がさなければならないが、一度剥がしたＰＥＴフィルムは粘着力が低下しており再度使用することができず、新たなＰＥＴフィルムを使用することとなるため、余分なコストがかかってしまう。
【００１０】
本発明においては上述の事情に鑑み、部品点数を減らし取り付け作業を簡便化することによって、製造コストの低減を図ることができ、更に、取り付けた後の電子部品の脱落を確実に防止することができる電子部品の取付構造及びそれを用いた画像形成装置を提供することを目的とする。
【課題を解決するための手段】
【００１１】
上記目的を達成するために本発明は、電子部品の裏面から垂直方向に延び先端に第１係止爪が形成された一対の第１係止片と、該第１係止片の対向方向に対し垂直方向に所定の間隔をあけて並設され先端に第２係止爪が形成された第２係止片とを、前記電子部品の取付面に形成された係止孔に挿入して、前記第１及び第２係止爪を前記係止孔に係合させることにより、電子部品を前記取付面に固定する電子部品の取付構造において、前記係止孔の一端には、前記第１係止片が挿入される一対の切り込み部が、前記第１係止片の厚さよりも幅広、且つ、前記第１係止爪の最大厚さよりも幅狭となるように設けられており、前記切り込み部の先端から前記係止孔の他端までの距離が、前記第１係止片の端面外側から前記第２係止片の端面外側までの距離と略同一であることを特徴としている。
【００１２】
また本発明は、上記構成の電子部品の取付構造において、前記切り込み部は、前記第１係止片の幅の半分以上の深さとなるように設けられることを特徴としている。
【００１３】
また本発明は、上記構成の電子部品の取付構造において、前記基部の端面には電線が装着されており、前記電子部品を前記取付面に取り付けたとき、前記切り込み部が延びる方向の前方に、前記電線が装着された端面が位置するよう構成されていることを特徴としている。
【００１４】
また本発明は、上記構成の電子部品の取付構造を用いた画像形成装置である。
【発明の効果】
【００１５】
本発明の第１の構成によれば、第１係止孔に挿通された第１係止片を切り込み部へと挿入することで、第１係止片を切り込み部から抜き出さない限り、第１係止片が第１係止孔から抜脱することはない。また、第２係止片が第２係止孔に挿入されると、電子部品の第２係止孔側への摺動が規制され、第１係止片が切り込み部から抜き出されることが防止され、第１係止片が第１係止孔から抜脱することが防止されるため、電子部品の取付面からの脱落が確実に防止される。
【００１６】
また、本発明の第２の構成によれば、上記第１の構成の電子部品の取付構造において、切り込み部の深さが、第１係止片の幅の半分以上となるように形成されているため、確実に第１係止爪と第１係止孔との係合が保持され、第１係止片が第１係止孔から抜脱することが防止される。
【００１７】
また、本発明の第３の構成によれば、上記第１又は第２の構成の電子部品の取付構造において、切り込み部が延びる方向の前方に、電線が装着された端面が位置するよう構成されているため、この電線が引っ張られると、電子部品には第１係止片を切り込み部へと挿入する方向へと力がかかることとなり、第１係止片が切り込み部から抜き出されることはないため、電線が引っ張られることによる電子部品の脱落が確実に防止されることとなる。
【００１８】
また、本発明の第４の構成によれば、上記第１乃至第３のいずれか構成の電子部品の取付構造を用いることにより、電子部品取付け時の部品点数を減らし、取り付け作業を簡便化することができるため、製造コストの低減を図ることができる。
【発明を実施するための最良の形態】
【００１９】
以下、図面を参照して本発明の第１実施形態について説明する。図１は本発明に係る画像形成装置の全体構成を示す概略構成図であり、右側を画像形成装置の前方側として図示している。ここで、本実施形態においては画像形成装置の一例としてプリンタを例示しているが、画像形成装置としてプリンタ以外の、例えば複写機やファクシミリ等であっても適用できることはいうまでもない。
【００２０】
図２は排出口に配置された検出手段を示す斜視図、図３は図２に示す検出手段を構成するアクチュエータのＰＩ遮光部及びＰＩセンサを示す拡大斜視図である。なお、図２及び図３において、アクチュエータのＰＩ遮光部及びＰＩセンサは、装置本体に取り付けられた外装カバーの内部に配置されているが、説明の便宜上、画像形成装置に取り付けられる外装カバーは除外して図示している。
【００２１】
画像形成装置１では、画像形成動作を行う場合、図中時計回りに回転する感光体ドラム２が帯電ユニット３により一様に帯電され、原稿画像データに基づく露光ユニット（レーザ走査ユニット等）４からのレーザビームにより感光体ドラム２上に静電潜像が形成され、現像ユニット５により静電潜像に現像剤（以下、トナーという）が付着されてトナー像が形成される。
【００２２】
この現像ユニット５へのトナーの供給はトナーコンテナ６から行われる。なお、画像データはパーソナルコンピュータ（図示せず）等から送信される。また、感光体ドラム２の表面の残留電荷を除去する除電装置（図示せず）がクリーニング装置７の下流側に設けられている。
【００２３】
上記のようにトナー像が形成された感光体ドラム２に向けて、用紙が給紙カセット８から用紙供給路９及びレジストローラ対１０を経由して搬送され、転写ローラ１１（画像転写部）により感光体ドラム２の表面に形成されたトナー像が用紙に転写される。そして、トナー像が転写された用紙は感光体ドラム２から分離され、定着ローラ対１２ａを有する定着部１２に搬送されてトナー像が定着される。
【００２４】
定着部１２を通過した用紙は、用紙搬送路１３により装置上部に搬送され、装置本体内に設けられた駆動手段（図示しない）より駆動を伝達されて回転駆動する駆動ローラ１４ａと、駆動ローラ１４ａに圧接され従動回転する従動ローラ１４ｂとから構成される排出ローラ対１４よって排出口１５より排出トレイ１６に排出されることとなる。
【００２５】
そして、図１に示すように、排出トレイ１６は排出口１５の直下が最も低く、そこから排紙方向に向かって上方に傾斜しており、排出された用紙が自重によって傾斜を滑り落ち、排出トレイ１６の後壁１７に当接して用紙の後端が揃った状態で排出トレイ１６上に積重されるよう構成されており、排出口１５の上方には、排出される用紙のジャムや排出トレイ１６上に積重された用紙のオーバーフローを検出するための検出手段が配置されている。
【００２６】
図２に示すように、検出手段はアクチュエータ２１とＰＩセンサ２２とから構成されている。アクチュエータ２１は、長さが排出口１５の全幅の半分程度に形成されたシャフト２１ａと、このシャフト２１ａの一端に一体形成された排出される用紙と干渉する用紙検知部２１ｂと、シャフト２１ａの他端に一体形成された後述するＰＩセンサ２２の光路を遮断するＰＩ遮光部２１ｃとから成り、用紙検知部２１ｂが排出口１５の幅方向略中央部に、ＰＩ遮光部２１ｃが排出口１５の幅方向外側に位置するように配置されている。
【００２７】
なお、アクチュエータ２１は、シャフト２１ａが駆動ローラ１４ａの回転軸と平行となうように排出口１５の上方に配置されているが、アクチュエータ２１は、このシャフト２１ａによって回動自在に支持されており、非通紙時には用紙検知部２１ｂ及びＰＩ遮光部２１ｃの自重によって回動し、図２に示すように、用紙検知部２１ｂが排出口１５の排紙方向に通紙経路に突き出すように構成されている。
【００２８】
そして、ＰＩセンサ２２が、アクチュエータ２１のＰＩ遮光部２１ｃと対向するように、排出口１５の幅方向外側に配置されている。このＰＩセンサ２２は、透過型フォトインタラプタであり、基部２２ａの表面には発光部２２ｂと受光部２２ｃとが一体形成され、基部２２ａの長辺方向下端部には画像形成装置１本体内に設けられた図示しない制御部と接続された電線２３が装着されており、非通紙時には、図３に示すように、アクチュエータ２１のＰＩ遮光部２１ｃによって、発光部２２ｂから受光部２２ｃに向けて照射される光の光路が遮断されるように配置されている。
【００２９】
また、用紙排出時には、用紙検知部２１ｂが用紙によって上方へと回動せしめられ、シャフト２１ａが回動し、ＰＩ遮光部２１ｃによるＰＩセンサ２２の光路の遮断が解除され、発光部２２ｂからの光が受光部２２ｃへと入射するようになり、ＰＩセンサ２２が通紙を検出する。用紙が完全に排出されると、アクチュエータ２１が自重によって元の位置へと回動し、ＰＩセンサ２２の光路はＰＩ遮光部２１ｃによって再び遮られるよう構成されている。
【００３０】
このように構成された検出手段では、画像形成に使用される用紙の搬送方向の長さ及び画像形成動作時の用紙搬送速度から、用紙が正常に排出された場合にＰＩセンサ２２の受光部２２ｃが発光部２２ｂから光を受ける時間がどれだけ続くかを算出し、制御部に記憶させておくことにより、受光部２２ｃが所定時間以上受光し続けた場合には、用紙が排出口１５に滞留していることが検出され、すなわち排出される用紙のジャム又は排出トレイ１６上に積重された用紙のオーバーフローが検出されることとなる。
【００３１】
ここで、図４及び図５を参照して、ＰＩセンサ２２について更に説明する。図４はＰＩセンサ２２を裏面から見た斜視図、図５はＰＩセンサが取り付けられる取付面を表側から見た斜視図である。前述したように、ＰＩセンサ２２の基部２２ａの表面には、発光部２２ｂと受光部２２ｃとが一体形成され、基部２２ａの長辺方向下端部には電線２３が装着されているが、この基部２２ａの裏面には、垂直下方へと延びる第２係止片２４，２５、第１係止片２６，２７及び当接片２８，２９が一体形成されている。
【００３２】
第２係止片２４，２５は、基部２２ａの両側縁の上端部にそれぞれ形成され、第２係止片２４と２５とが互いに対向するように形成されている。また、それぞれには短辺方向外方へ突出する第２係止爪２４ａ，２５ａが一体形成されている。なお、第２係止爪２４ａ，２５ａは、後述する取付面３０に形成された第２係止孔３１への第２係止片２４，２５の挿入を促すように先端がテーパ状に形成されている。
【００３３】
第１係止片２６，２７は、基部２２ａの両側縁に、第２係止片２４，２５の下方に所定の間隔をあけて形成されており、第１係止片２６と２７が互いに対向するように形成されている。また、これらの第１係止片２６，２７は同じ厚さ及び幅を有するよう形成されており、具体的には厚さがＡ１、幅がＢ１となるように形成されている。更に、それぞれの第１係止片２６，２７の先端には、基部２２ａの短辺方向外方へと突出する第１係止爪２６ａ，２７ａが形成されており、最も突出している部分では第１係止片２６，２７の厚さがＡ２となっている。なお、第１係止爪２６ａ，２７ａは、後述する取付面３０に形成された第１係止孔３２への第１係止片２６，２７の挿入を促すため先端部がテーパ状に形成されている。
【００３４】
そして、第２係止片２４と第１係止片２６との間には当接片２８が、第２係止片２５と第１係止片２７との間には当接片２９が、互いに対向するように形成されている。また、当接片２８，２９は、上記第２係止爪２４ａ，２５ａ及び第１係止爪２６ａ，２７ａの後端から当接片２８，２９の先端までの距離が、後述する取付面３０の厚さと略同一と成るように形成されており、ＰＩセンサ２２が取付面３０に取り付けられたとき、第２係止爪２４ａ，２５ａ及び第１係止爪２６ａ，２７ａと当接片２８，２９とによって、取付面３０が狭持されるよう構成されている。
【００３５】
取付面３０には、図５に示すように、第２係止孔３１と第１係止孔３２が設けられている。第２係止孔３１は矩形状の貫通孔であり、横幅は第２係止片２４と２５との外幅と略同一に、高さは第２係止片２４，２５の幅よりも長くなるように形成されている。第１係止孔３２は矩形状の貫通孔であり、横幅は第１係止片２６と２７との外幅と略同一に、高さは第１係止片２６，２７の幅よりも長くなるように形成されている。
【００３６】
更に、第１係止孔３２の両側端には高さ方向下方へと延びる切り込み部３２ａが設けられている。この切り込み部３２ａは、横幅Ａが第１係止片２６，２７の厚さＡ１よりも長く、第１係止爪２６ａ，２７ａが最も突出した部分の厚さＡ２よりも短くなるように形成され、深さＢが少なくとも第１係止片２６，２７の幅Ｂ１の半分以上となるように形成されている。なお、第２係止孔３１及び第１係止孔３２は、第２係止孔３１の上端部から切り込み部３２ａの下端部までの距離が、第２係止片２４，２５の上端から第１係止片２６，２７の下端までの距離と略同一となるように構成されている。
【００３７】
次に、図６〜図８を参照してＰＩセンサ２２の取付面３０への取付け工程について説明する。図６はＰＩセンサ取付け途中を示す斜視図であり、第１係止片が第１係止孔に挿入された状態を図示している、図７はＰＩセンサ取付け途中を示す斜視図であり、第１係止片が切り込み部に挿入された状態を図示している。図８は取付け後のＰＩセンサを取付面の裏側から見た斜視図である。
【００３８】
ＰＩセンサ２２を取付面３０へと取付ける際には、先ず、図６に示すように、ＰＩセンサ２２を取付面３０に対して傾斜させた状態で、第１係止片２６，２７を第１係止孔３２へと挿入する。この時、第１係止片２６，２７は一時的に短辺方向内側へと弾性変形するが、第１係止爪２６ａ，２７ａが第１係止孔３２を完全に通過すると第１係止片２６，２７は自己の弾性により元の位置へと復帰して、第１係止爪２６ａ，２７ａが第１係止孔３２と係合するようになる。
【００３９】
次いで、図７に示すように、ＰＩセンサ２２を下方へと摺動させて、第１係止孔３２に挿通された第１係止片２６，２７を第１係止孔３２の両側端に設けられた切り込み部３２ａへとそれぞれ挿入する。これにより第１係止片２６，２７の短辺方向内側への弾性変形が防止されるため、第１係止爪２６ａ，２７ａと第１係止孔３２との係合が保持される。なお、切り込み部３２ａの横幅Ａは、第１係止片２６，２７の第１係止爪２６ａ，２７ａが最も突出した部分の厚さＡ２よりも短くなるように形成されているため、ＰＩセンサ２２が上方へと摺動され、第１係止片２６，２７を切り込み部３２ａから抜き出されない限り、第１係止片２６，２７が第１係止孔３２から抜脱することはない。
【００４０】
そして、上記のようにＰＩセンサ２２を下方へと摺動させた後、第２係止片２４，２５を第２係止孔３１へと挿入する。この時、第２係止片２４，２５は一時的に短辺方向内側へと弾性変形するが、第２係止爪２４ａ，２５ａが第２係止孔３１を完全に通過すると第２係止片２４，２５は自己の弾性により元の位置へと復帰して、第２係止爪２４ａ，２５ａが第２係止孔３１と係合し、図８に示すように、ＰＩセンサ２２が第２係止爪２４ａ，２５ａ及び第１係止爪２６ａ，２７ａによって、取付面３０に固定されるようになる。
【００４１】
ここで、前述したように、第２係止孔３１の上端部から切り込み部３２ａの下端部までの距離は、第２係止片２４，２５の上端から第１係止片２６，２７の下端までの距離と略同一に形成されているため、第２係止片２４，２５が第２係止孔３１に挿入されると、ＰＩセンサ２２の上方への摺動が規制され、第１係止片２６，２７が切り込み部３２ａから抜けなくなるため、第１係止片２６，２７が第１係止孔３２から抜脱することが防止されることとなる。
【００４２】
また、ＰＩセンサ２２に装着された電線２３が引っ張られることにより、ＰＩセンサ２２が第２係止片２４，２５及び第１係止片２６，２７の差込方向に引っ張られることがあり、このような場合において、ＰＩセンサ２２の上端が差込方向に引っ張られてしまうと、第２係止片２４，２５が第２係止孔３１から抜脱されてしまい、第１係止片２６，２７の切り込み部３２ａからの抜けが防止されなくなり、第１係止片２６，２７も第１係止孔３２から抜脱され、ＰＩセンサ２２が取付面３０から脱落してしまうこととなる。
【００４３】
しかし、前述したように、電線２３がＰＩセンサ２２の下端部に装着されているため、電線２３が引っ張られた場合には、ＰＩセンサ２２の下端が差込方向に引っ張られることとなる。ここで、第１係止片２６，２７が切り込み部３２ａから抜き出されない限り、第１係止片２６，２７が第１係止孔３２から抜脱することはないため、ＰＩセンサ２２の下端が差込方向に引っ張られても第１係止片２６，２７が第１係止孔３２から抜脱されることはなく、電線２３が引っ張られることによって生じるＰＩセンサ２２の脱落が防止されることとなる。
【００４４】
なお、本発明は上記実施形態に限られるものではなく、本発明の趣旨を逸脱しない範囲で種々の変更が可能であり、例えば、上記実施形態ではＰＩセンサ２２の上方への摺動を、基部２２ａの両側縁の上端部に対向するように形成された第２係止片２４，２５によって防止する構成としたが、これは図９に示すように、基部２２ａの上端縁に沿って垂直方向に延び、先端に長辺方向外方に突出する係止爪３３ａが形成された係止片３３によってＰＩセンサ２２の上方への摺動を防止する構成としてもよい。
【００４５】
ただし、係止片３３のように長辺方向外方に突出するように係止爪３３ａを形成する場合には、係止片３３の係止爪３３ａが形成されていない部分の上端から第１係止片２６，２７の下端までの距離と、第２係止孔３１の上端部から切り込み部３２ａの下端部までの距離が略同一となるように形成し、係止片３３の係止爪３３ａが最も突出した部分の上端から第１係止片２６，２７の下端までの距離が、第２係止孔３１の上端部から切り込み部３２ａの下端部までの距離よりも長くなるようにしておかなければならない。
【００４６】
また、上記実施形態では、第１係止片２６，２７の先端に形成される第１係止爪２６ａ，２７ａは、短辺方向外方へと突出するように形成したものについて説明しているが、これは、短辺方向内方へと突出するように形成してもよい。ただし、切り込み部３２ａに第１係止片２６，２７が挿入された時、第１係止片２６，２７が第１係止孔３２から抜脱することが防止されるように、第１係止爪２６ａ，２７ａの最も突出した部分の厚さを切り込み部３２ａの幅よりも厚く形成しておかなければならない。
【００４７】
更に、上記実施形態では、取付面３０には、第１係止片２６，２７が挿入される第１係止孔３２と、第２係止片２４，２５が挿入される第２係止孔３１をそれぞれ別々に設けているが、これらの第１係止孔３２と第２係止孔３１とを連通して、一端に切り込み部が形成され、切り込み部の先端から他端までの距離が、第１係止片２６，２７の下端から第２係止片２４，２５の上端までの距離が略同一に形成された一つの係止孔としても構わない。
【産業上の利用可能性】
【００４８】
本発明は、画像形成装置等に取り付けられるフォトインタラプタ等の電子部品の取付構造に利用することができ、特に電子部品に一体形成された係止爪と、取付面に設けられた係止孔とから構成される電子部品の取付構造に利用することができる。
【図面の簡単な説明】
【００４９】
【図１】は、本発明に係る画像形成装置の全体構成を示す概略構成図である。
【図２】は、排出口に配置された検出手段を示す斜視図である。
【図３】は、図２に示す検出手段を構成するアクチュエータのＰＩ遮光部及びＰＩセンサを示す拡大斜視図である。
【図４】は、ＰＩセンサを裏面から見た斜視図である。
【図５】は、ＰＩセンサが取り付けられる取付面を表側から見た斜視図である。
【図６】は、ＰＩセンサ取付け途中を示す斜視図であり、第１係止片が第１係止孔に挿入された状態を図示している。
【図７】は、ＰＩセンサ取付け途中を示す斜視図であり、第１係止片が切り込み部に挿入された状態を図示している。
【図８】は、取付け後のＰＩセンサを取付面の裏側から見た斜視図である。
【図９】は、他の実施形態として、基部の上端縁に沿って係止片を形成したＰＩセンサの取付構造を示す斜視図である。
【図１０】は、従来の電子部品を示す斜視図である。
【図１１】は、従来の電子部品の取付構造を示す斜視図である。
【符号の説明】
【００５０】
１        画像形成装置
１４      排出ローラ対
１５      排出口
１６      排出トレイ
１７      後壁
２１      アクチュエータ
２２      ＰＩセンサ
２３      電線
２４，２５  第２係止片
２４ａ，２５ａ  第２係止爪
２６，２７  第１係止片
２６ａ，２７ａ  第１係止爪
２８，２９  当接片
３０      取付面
３１      第２係止孔
３２      第１係止孔
３２ａ    切り込み部
３３      係止片
３３ａ    係止爪
【図１】
0004680830.tif 000002
【図２】
0004680830.tif 000003
【図３】
0004680830.tif 000004
【図４】
0004680830.tif 000005
【図５】
0004680830.tif 000006
【図６】
0004680830.tif 000007
【図７】
0004680830.tif 000008
【図８】
0004680830.tif 000009
【図９】
0004680830.tif 000010
【図１０】
0004680830.tif 000011
【図１１】
0004680830.tif 000012